(57)【要約】【課題】接続済みのコネクションのサービス品質を維持する。【解決手段】呼制御装置２０は、優先順位のレベル毎に１つの呼を選択し、パケット転送装置１０ａ，１０ｄに、その呼で通信しているパケットの中からＲＴＰのＲＴＣＰパケットを選び出させ、ＲＴＣＰパケットに設定されているパケット廃棄率を監視させ、パケット廃棄率が所定の値を超えると、そのレベルに一番新しく加わった呼で通信している端末装置に切断を要求する。【選択図】      図１
2005012572.tif 000002
【特許請求の範囲】
【請求項１】
端末装置間での呼の状態を管理する呼制御装置と、前記複数の端末装置間に介在すると共にそれぞれが前記呼制御装置に接続され、発呼元端末装置からのパケットを優先度を付けて相手先端末装置に転送する複数のパケット転送装置と、を備えたパケット転送システムにおけるパケット品質監視方法であって、
前記優先度における少なくとも１つのレベルの通信品質を監視し、
通信品質が予め設定された基準値以下になったとき、前記少なくとも１つのレベルで通信している呼のうち最新に加わった呼を切断することを特徴とするパケット品質監視方法。
【請求項２】
予め設定された数の呼を選択し、その選択された呼に対応する優先度のレベルに対して、前記通信品質の監視を行うことを特徴とする請求項１に記載のパケット品質監視方法。
【請求項３】
予め設定された上限数以下の呼に対応する優先度のレベルに対して、前記通信品質の監視を行うことを特徴とする請求項１または請求項２に記載のパケット品質監視方法。
【請求項４】
予め設定された時間毎に前記通信品質の監視を行うことを特徴とする請求項１乃至請求項３のいずれかに記載のパケット品質監視方法。
【請求項５】
リアルタイムコントロールプロトコル（ＲＴＣＰ：Ｒｅａｌ  Ｔｉｍｅ  Ｃｏｎｔｒｏｌ  Ｐｒｏｔｏｃｏｌ）パケットで通知されるパケット廃棄率に基づき、前記通信品質を監視することを特徴とする請求項１乃至請求項４のいずれかに記載のパケット品質監視方法。
【請求項６】
インターネットプロトコル（ＩＰ：Ｉｎｔｅｒｎｅｔ  Ｐｒｏｔｏｃｏｌ）パケットヘッダのサービス種別に基づいて、パケットに優先度が付けられることを特徴とする請求項１乃至請求項５のいずれかに記載のパケット品質監視方法。
【請求項７】
端末装置間での呼の状態を管理する呼制御装置と、前記複数の端末装置間に介在すると共にそれぞれが前記呼制御装置に接続され、発呼元端末装置からのパケットを優先度を付けて相手先端末装置に転送する複数のパケット転送装置と、を備えたパケット品質監視システムであって、
パケット転送装置は、前記優先度における少なくとも１つのレベルの通信品質を監視し、通信品質が予め設定された基準値以下になったとき前記呼制御装置に通知し、前記呼制御装置は、通信品質が基準値以下になったことを通知されると、前記少なくとも１つのレベルで通信している呼のうち最新に加わった呼を切断することを特徴とするパケット品質監視システム。
【請求項８】
前記呼制御装置は、予め設定された数の呼を選択し、その選択された呼に対応する優先度のレベルに対する前記通信品質の監視を前記パケット転送装置に指示することを特徴とする請求項７に記載のパケット品質監視システム。
【請求項９】
前記パケット転送装置は、予め設定された上限数以下の呼に対応する優先度のレベルに対して、前記通信品質の監視を行うことを特徴とする請求項７または請求項８に記載のパケット品質監視システム。
【請求項１０】
前記パケット転送装置は、予め設定された時間毎に前記通信品質の監視を行うことを特徴とする請求項７乃至請求項９のいずれかに記載のパケット品質監視システム。
【請求項１１】
前記パケット転送装置は、リアルタイムコントロールプロトコル（ＲＴＣＰ：Ｒｅａｌ  Ｔｉｍｅ  Ｃｏｎｔｒｏｌ  Ｐｒｏｔｏｃｏｌ）パケットで通知されるパケット廃棄率に基づき、前記通信品質を監視することを特徴とする請求項７乃至請求項１０のいずれかに記載のパケット品質監視システム。
【請求項１２】
前記パケット転送装置は、インターネットプロトコル（ＩＰ：Ｉｎｔｅｒｎｅｔ  Ｐｒｏｔｏｃｏｌ）パケットヘッダのサービス種別に基づいて、パケットに優先度を付けることを特徴とする請求項７乃至請求項１１のいずれかに記載のパケット品質監視システム。
【請求項１３】
端末装置間での呼の状態を管理する呼制御装置と、前記複数の端末装置間に介在すると共にそれぞれが前記呼制御装置に接続され、発呼元端末装置からのパケットを優先度を付けて相手先端末装置に転送する複数のパケット転送装置と、を備えたパケット転送システムに搭載されるプログラムであって、
前記優先度における少なくとも１つのレベルの通信品質を監視する手段と、
通信品質が予め設定された基準値以下になったとき、前記少なくとも１つのレベルで通信している呼のうち最新に加わった呼を切断する手段と、
を前記パケット転送システムに実行させるためのプログラム。
【請求項１４】
複数の端末装置間に介在し、発呼元端末装置からのパケットを優先度を付けて相手先端末装置に転送するパケット転送装置であって、
前記優先度における少なくとも１つのレベルの通信品質を監視する通信品質監視部と、
前記通信品質が予め設定された基準値以下になったとき呼制御装置に通知する品質通知部と、
を備えることを特徴とするパケット転送装置。
【請求項１５】
発呼元端末装置からのパケットを優先度を付けて相手先端末装置に転送する複数のパケット転送装置のそれぞれに接続され、端末装置間での呼の状態を管理する呼制御装置であって、
端末装置間の呼の状態や優先度毎に加わった順番などの情報を記憶管理する各種情報記憶部と、
品質が監視される予め設定された数の呼や最新に加わった呼を選択する呼選択機能部と、
選択された呼の品質監視を対応するパケット転送装置に指示する品質監視指示部と、
前記対応するパケット転送装置から通信品質が基準値以下になったことの通知を受信する品質通知受信部と、
選択された呼の切断を前記発呼元端末装置に指示する切断指示部と、
を備えることを特徴とする呼制御装置。
【発明の詳細な説明】
【０００１】
【発明の属する技術分野】
本発明は、パケット品質監視方法及びそのシステム、プログラム、パケット転送装置、並びに呼制御装置に関し、特に、パケット転送のサービス品質の監視を行うパケット品質監視方法及びそのシステム、プログラム、パケット転送装置、並びに呼制御装置に関する。
【０００２】
【従来の技術】
従来のパケット転送システムにおいては、パケット転送のサービス品質を確保するため、パケットに優先度を付け、その優先度に従ってパケットの優先制御が行なわれ、優先度毎のサービス品質の確保が図られている。
【０００３】
しかし、パケット転送システムのリソースの設計はトラヒックの予想値に基づいて決められるため、予想トラヒックを上回るトラヒックが発生するとサービス品質を維持できない場合がある。
【０００４】
このような事態に対処するため、パケット転送システム内のパケット転送装置の優先度毎に設けられたリソース（バッファ）をトラヒックの変動に対応して動的に変更すること（例えば、特許文献１参照）や、接続されているコネクションのパケットの優先度を新規接続時から徐々に上げることで、優先度を動的に変更して、既接続のコネクションのサービス品質に影響を与えないようにすること（例えば、特許文献２）などが提案されている。
【０００５】
【特許文献１】
特開２００２−２３２４７２号公報
【０００６】
【特許文献２】
特開２００２−２４７０９０号公報
【０００７】
【発明が解決しようとする課題】
しかしながら、このような対処を行っても、パケット転送システムのリソースには限りがあるため、上述のような対処方法でも対処しきれない場合が発生する。
【０００８】
そこで、本発明は、既接続のコネクションの品質を監視し、品質が低下したら最新に接続したコネクションを切断することにより、接続済みのコネクションのサービス品質を維持することを目的とする。
【０００９】
【課題を解決するための手段】
上記目的を達成するため、請求項１に記載のパケット品質監視方法は、端末装置間での呼の状態を管理する呼制御装置と、前記複数の端末装置間に介在すると共にそれぞれが前記呼制御装置に接続され、発呼元端末装置からのパケットを優先度を付けて相手先端末装置に転送する複数のパケット転送装置と、を備えたパケット転送システムにおけるパケット品質監視方法であって、前記優先度における少なくとも１つのレベルの通信品質を監視し、通信品質が予め設定された基準値以下になったとき、前記少なくとも１つのレベルで通信している呼のうち最新に加わった呼を切断することを要旨とする。
【００１０】
この発明では、通信品質が基準値以下になったとき、通信品質を基準値以下にしたと疑われる最新に加わった呼が切断される。したがって、通信品質が良好だった呼のみによる通信に戻される。
【００１１】
請求項２に記載のパケット品質監視方法は、請求項１に記載のパケット品質監視方法であって、予め設定された数の呼を選択し、その選択された呼に対応する優先度のレベルに対して、前記通信品質の監視を行うことを要旨とする。
【００１２】
この発明では、選択された呼の通信品質のみが監視される。したがって、監視する呼の数が削減される。
【００１３】
請求項３に記載のパケット品質監視方法は、請求項１または請求項２に記載のパケット品質監視方法であって、予め設定された上限数以下の呼に対応する優先度のレベルに対して、前記通信品質の監視を行うことを要旨とする。
【００１４】
この発明では、各パケット転送装置での監視する呼の数の上限値が設定される。したがって、各パケット転送装置で監視する呼の数が制限される。
【００１５】
請求項４に記載のパケット品質監視方法は、請求項１乃至請求項３のいずれかに記載のパケット品質監視方法であって、予め設定された時間毎に前記通信品質の監視を行うことを要旨とする。
【００１６】
この発明では、予め設定された時間毎に通信品質が監視される。したがって、監視する回数が削減される。
【００１７】
請求項５に記載のパケット品質監視方法は、請求項１乃至請求項４のいずれかに記載のパケット品質監視方法であって、ＲＴＣＰパケットで通知されるパケット廃棄率に基づき、前記通信品質を監視することを要旨とする。
【００１８】
この発明では、ＲＴＣＰパケットで通知されるパケット廃棄率により通信品質が監視される。
【００１９】
請求項６に記載のパケット品質監視方法は、請求項１乃至請求項５のいずれかに記載のパケット品質監視方法であって、ＩＰパケットヘッダのサービス種別に基づいて、パケットに優先度が付けられることを要旨とする。
【００２０】
この発明では、ＩＰパケットヘッダのサービス種別により優先度が付けられ、パケットが転送される。
【００２１】
また、上記目的を達成するため、請求項７に記載のパケット品質監視システムは、端末装置間での呼の状態を管理する呼制御装置と、前記複数の端末装置間に介在すると共にそれぞれが前記呼制御装置に接続され、発呼元端末装置からのパケットを優先度を付けて相手先端末装置に転送する複数のパケット転送装置と、を備えたパケット品質監視システムであって、パケット転送装置は、前記優先度における少なくとも１つのレベルの通信品質を監視し、通信品質が予め設定された基準値以下になったとき前記呼制御装置に通知し、前記呼制御装置は、通信品質が基準値以下になったことを通知されると、前記少なくとも１つのレベルで通信している呼のうち最新に加わった呼を切断することを要旨とする。
【００２２】
この発明では、通信品質が基準値以下になったとき、通信品質を基準値以下にしたと疑われる最新に加わった呼が切断される。したがって、通信品質が良好だった呼のみによる通信に戻される。
【００２３】
請求項８に記載のパケット品質監視システムは、請求項７に記載のパケット品質監視システムであって、前記呼制御装置は、予め設定された数の呼を選択し、その選択された呼に対応する優先度のレベルに対する前記通信品質の監視を前記パケット転送装置に指示することを要旨とする。
【００２４】
この発明では、選択された呼の通信品質のみが監視される。したがって、監視する呼の数が削減される。
【００２５】
請求項９に記載のパケット品質監視システムは、請求項７または請求項８に記載のパケット品質監視システムであって、前記パケット転送装置は、予め設定された上限数以下の呼に対応する優先度のレベルに対して、前記通信品質の監視を行うことを要旨とする。
【００２６】
この発明では、各パケット転送装置での監視する呼の数の上限値が設定される。したがって、各パケット転送装置で監視する呼の数が制限される。
【００２７】
請求項１０に記載のパケット品質監視システムは、請求項７乃至請求項９のいずれかに記載のパケット品質監視システムであって、前記パケット転送装置は、予め設定された時間毎に前記通信品質の監視を行うことを要旨とする。
【００２８】
この発明では、予め設定された時間毎に通信品質が監視される。したがって、監視する回数が削減される。
【００２９】
請求項１１に記載のパケット品質監視システムは、請求項７乃至請求項１０のいずれかに記載のパケット品質監視システムであって、前記パケット転送装置は、ＲＴＣＰパケットで通知されるパケット廃棄率に基づき、前記通信品質を監視することを要旨とする。
【００３０】
この発明では、ＲＴＣＰパケットで通知されるパケット廃棄率により通信品質が監視される。
【００３１】
請求項１２に記載のパケット品質監視システムは、請求項７乃至請求項１１のいずれかに記載のパケット品質監視システムであって、前記パケット転送装置は、ＩＰパケットヘッダのサービス種別に基づいて、パケットに優先度を付けることを要旨とする。
【００３２】
この発明では、ＩＰパケットヘッダのサービス種別により優先度が付けられ、パケットが転送される。
【００３３】
また、上記目的を達成するため、請求項１３に記載のプログラムは、端末装置間での呼の状態を管理する呼制御装置と、前記複数の端末装置間に介在すると共にそれぞれが前記呼制御装置に接続され、発呼元端末装置からのパケットを優先度を付けて相手先端末装置に転送する複数のパケット転送装置と、を備えたパケット転送システムに搭載されるプログラムであって、前記優先度における少なくとも１つのレベルの通信品質を監視する手段と、通信品質が予め設定された基準値以下になったとき、前記少なくとも１つのレベルで通信している呼のうち最新に加わった呼を切断する手段と、を前記パケット転送システムに実行させることを要旨とする。
【００３４】
また、上記目的を達成するため、請求項１４に記載のパケット転送装置は、複数の端末装置間に介在し、発呼元端末装置からのパケットを優先度を付けて相手先端末装置に転送するパケット転送装置であって、前記優先度における少なくとも１つのレベルの通信品質を監視する通信品質監視部と、前記通信品質が予め設定された基準値以下になったとき呼制御装置に通知する品質通知部と、を備えることを要旨とする。
【００３５】
また、上記目的を達成するため、請求項１５に記載の呼制御装置は、発呼元端末装置からのパケットを優先度を付けて相手先端末装置に転送する複数のパケット転送装置のそれぞれに接続され、端末装置間での呼の状態を管理する呼制御装置であって、端末装置間の呼の状態や優先度毎に加わった順番などの情報を記憶管理する各種情報記憶部と、品質が監視される予め設定された数の呼や最新に加わった呼を選択する呼選択機能部と、選択された呼の品質監視を対応するパケット転送装置に指示する品質監視指示部と、前記対応するパケット転送装置から通信品質が基準値以下になったことの通知を受信する品質通知受信部と、選択された呼の切断を前記発呼元端末装置に指示する切断指示部と、を備えることを要旨とする。
【００３６】
【発明の実施の形態】
以下、図面を参照して本発明のパケット品質監視方法及びそのシステム、プログラム、パケット転送装置、並びに呼制御装置における実施の形態を詳細に説明する。
図１は、本発明の一実施形態のパケット転送システム１の構成を示す図である。
【００３７】
本実施形態のパケット転送システム１は、ＩＰ（Ｉｎｔｅｒｎｅｔ  Ｐｒｏｔｏｃｏｌ）パケットの転送を行うもので、特に音声通信のようなリアルタイム通信をＩＰパケットにより行うようになっており、端末装置からの要求により他の端末装置とのリアルタイム通信の呼を確立し、端末装置間でのパケットの転送の制御を行う。また、ＩＰパケットのヘッダのサービス情報に基づいてサービス品質（ＱｏＳ：Ｑｕａｌｉｔｙ  ｏｆ  Ｓｅｒｖｉｃｅ）の制御を行うようになっている。
【００３８】
図１において、本実施形態のパケット転送システム１は、パケットの転送を行う複数のパケット転送装置１０ａ〜１０ｄと、これら複数のパケット転送装置１０ａ〜１０ｄと通信してパケット転送装置１０ａ，１０ｄに接続された端末装置３０ａ，３０ｂ間の音声通信などの呼を制御する呼制御装置２０と、を備えている。
【００３９】
呼制御装置２０は、端末装置間の呼のやりとりを制御する呼制御機能部２０１と、端末装置間の呼の状態や優先度毎に加わった順番などの情報を記憶管理する各種情報記憶部２０２と、品質が監視される予め設定された数の呼や最新に加わった呼を選択する呼選択機能部２０３と、選択された呼の品質監視を対応するパケット転送装置に指示する品質監視指示部２０４と、対応するパケット転送装置から通信品質が基準値以下になったことの通知を受信する品質通知受信部２０５と、選択された呼の切断（遮断）をパケット転送装置や端末に指示する切断（遮断）指示部２０６と、を備えている。
【００４０】
パケット転送装置１０ａ（１０ｄ）は、パケットを優先度別に転送する優先度別転送部１０１ａ（１０１ｄ）と、最大で予め設定された数の呼を対象として、予め設定された時間毎に、端末より転送されるＲＴＣＰパケットで通知されるパケットの廃棄率を用いて、パケットの品質を優先度別に監視する通信品質監視部１０２ａ（１０２ｄ）と、通信品質が基準値以下になった時、呼制御装置２０にその旨を通知する品質通知部１０３ａ（１０３ｄ）と、呼制御装置２０より特定の呼を切断する指示を受けた時、該呼の通信を遮断する通信遮断機能部１０４ａ（１０４ｄ）と、を備えている。
【００４１】
一般的に、このようなパケット転送システム１において、端末装置３０ａがリアルタイム通信の呼の設定を行う場合、まず通信したい相手先や通信のサービス情報などの情報を含んだ呼設定要求を呼制御装置２０に送信する。
【００４２】
呼制御装置２０は、端末装置３０ａからの呼設定要求を受信すると、相手先の情報から相手先端末装置３０ｂが通信可能かを、発呼元端末装置３０ａの情報や通信のサービス情報などを含んだ呼設定要求を相手先端末装置３０ｂに送信して問い合わせる。
【００４３】
相手先端末装置３０ｂは、呼制御装置２０から呼設定要求を受信すると、発呼元端末装置３０ａの情報や通信のサービス情報などを判定し、通信可能であると判断すると、通信可であることを呼制御装置２０に返信し、ＲＴＰ（Ｒｅａｌ−ｔｉｍｅ  Ｔｒａｎｓｐｏｒｔ  Ｐｒｏｔｏｃｏｌ）などのリアルタイム通信のプロトコルにより端末装置３０ｂから端末装置３０ａへのリアルタイム通信を開始する。
【００４４】
呼制御装置２０は、相手先端末装置３０ｂから通信可である通知を受けると、呼が設定されたものとして、設定された呼に識別番号などの識別情報を付与し、発呼元端末装置３０ａと相手先端末装置３０ｂの情報や通信のサービス情報などを識別情報に関連付けて記憶し、発呼元端末装置３０ａに通信可能であることを通知する。
【００４５】
端末装置３０ａは、通信可能であることが通知されると、ＲＴＰなどのリアルタイム通信のプロトコルにより端末装置３０ａから端末装置３０ｂへのリアルタイム通信を開始する。
そして、通信が終了して呼の切断要求が端末装置３０ａ、３０ｂから送信されると、呼制御装置２０は記憶していた呼の識別情報や端末装置の情報や通信のサービス情報などを削除する。
このようにして、本実施形態のパケット転送システム１では、呼制御装置２０で通信中の呼の情報を管理するようになっている。
【００４６】
図２は、パケット転送の優先順位のレベルの例を示す図である。図３は、パケット転送におけるパケット廃棄率監視処理を説明するための図である。
呼設定後のパケットの転送時には、パケット転送装置１０ａ〜１０ｄは、受信したパケットのヘッダに設定されたサービス種別（Ｔｙｐｅ  Ｏｆ  Ｓｅｒｖｉｃｅ）に基づいて、例えばＤｉｆｆＳｅｒｖｅ（Ｄｉｆｆｅｒｅｎｔｉａｔｅｄ  Ｓｅｒｖｉｃｅｓ）などのように優先順位を付けて、受信したパケットを転送するようになっている。パケット転送装置１０ａ〜１０ｄは、例えば、図２に示すように、優先順位の高い順にＨ，Ｍ，Ｌにレベル分けをし、受信したパケットをサービス種別に基づきいずれかのレベルに振り分け、各レベルの優先度に対応した優先順位でレベルごとにパケットを転送するようになっている。
【００４７】
そして、本実施形態のパケット転送システム１では、通信中の呼の通信品質を監視し、通信品質が悪くなったときは、最新に加わった呼の通信が通信品質の悪化の原因である可能性が高いということに着目し、一番新しく加わった呼の通信を切断して既に安定して通信していた呼の安定化を図っている。
【００４８】
具体的には、呼制御装置２０において、各種情報記憶部２０２は、パケット転送装置１０ａ〜１０ｄが管理している優先順位と同じ優先順位に基づく各レベル毎に、通信中の呼の情報をその呼が該当レベルになった順番も含めて管理している。また、呼選択機能部２０３は、優先順位のレベル毎に例えば１つの呼を選択し、品質監視指示部２０４は、その呼の通信品質を監視するため、当該呼により通信している一対の端末装置３０ａ，３０ｂにそれぞれ接続されているパケット転送装置１０ａ，１０ｄに、通信中の端末装置の情報と呼の識別情報とパケット廃棄率の上限値を送信して、呼の通信品質を監視するよう要求する。
【００４９】
一方、パケット転送装置１０ａ，１０ｄにおいて、通信品質監視部１０２ａ，１０２ｄは、通信品質の監視要求を受信すると、受信した端末装置の情報から該当端末装置が送受信するパケットを特定し、それらのパケットの中からＲＴＰのＲＴＣＰ（Ｒｅａｌ  Ｔｉｍｅ  Ｃｏｎｔｒｏｌ  Ｐｒｏｔｏｃｏｌ）パケットを選び出し、ＲＴＣＰパケットに設定されているパケット廃棄率情報を記憶し続ける。
【００５０】
また、通信品質監視部１０２ａ，１０２ｄは、図３に示すように、記憶しているパケット廃棄率情報を予め設定された周期で監視し（図ではＨレベルの場合）、パケット廃棄率が通信品質の監視要求に設定された上限値を超えると（図中Ａの監視時刻）、呼制御装置２０に通知する。呼制御装置２０の品質通知受信部２０５は、通信品質が基準値以下になったことのその通知を受信し、呼選択機能部２０３は、そのレベルの最新に加わった呼を選択し、切断（遮断）指示部２０６は、選択された呼の切断（遮断）をパケット転送装置や端末に指示する。
【００５１】
次に、パケット転送におけるパケット廃棄率監視処理とパケット廃棄率異常時の処理の手順を説明する。
図４は、パケット転送におけるパケット廃棄率監視処理の手順を示すフローチャートである。図５は、パケット転送におけるパケット廃棄率異常時の処理手順を示すフローチャートである。
【００５２】
具体的には、図４のフローチャートに示すように、パケット転送装置１０ａ，１０ｄは、優先度のレベル毎に、記憶しているパケット廃棄率を通信品質の監視要求に設定された上限値と予め設定された周期で比較し（Ｓ１１）、パケット廃棄率が予め設定された値以下であれば何もせずに終了する。
【００５３】
パケット廃棄率が予め設定された値より大きい場合、呼制御装置２０に当該呼の識別情報とともにパケット廃棄率が上限値を超えたことを通知する（Ｓ１２）。
【００５４】
呼制御装置２０は、パケット廃棄率が上限値を超えたことが通知されると、図５のフローチャートに示すように、パケット廃棄率が上限値を超えた呼の情報から優先度のレベルを参照し（Ｓ２１）、該当レベルで１番新しく該当レベルに加わった呼を探索し（Ｓ２２）、該当呼に対応する一対の端末装置それぞれに呼の切断を要求する通知を行う（Ｓ２３）。なお呼の切断を要求する通知は端末装置に対してのみではなく，該当呼に基づくパケットを転送するパケット転送装置に対して行っても良く，この場合，通知を受けたパケット転送装置は該当呼の転送を遮断する動作を行う．
このように本発明においては、優先度の各レベル毎のパケット廃棄率を監視し、このパケット廃棄率が上限値を超えた場合、パケット廃棄率の悪化の原因である可能性の高い一番新しく加わった呼を切断するようにしているので、接続済の呼のサービス品質を維持することができる。
【００５５】
なお、上述した実施形態においては、各レベル毎の通信品質を判断するに際し、各レベル毎に通信品質を監視する１つの呼を選択し、その１つの呼の通信品質に基づき当該レベルの通信品質を判断しているが、これに限定されるものではなく、各レベル毎に通信品質を監視する複数の呼を選択してもよい。
【００５６】
また、全てのレベルの呼から１つの呼を選択したり、ランダムに（優先順位によらずに）複数の呼を選択してもよい。この場合には、該当するレベル（１つの呼の場合には該当する１レベル）の通信品質が監視されることになる。更に、パケット転送装置側で監視する呼の数の上限値を設定し、それ以上の呼は監視を行わないようにしてもよい。
【００５７】
【発明の効果】
本発明によれば、通信中の呼の通信品質を監視し、通信品質が基準値を下回ったとき、一番新しく加わった呼を切断しているので、通信品質を悪化させたと疑われる呼を切断することができ、接続済みの呼のサービス品質を維持することができる。
【００５８】
ここで、通信品質の監視を予め設定された数の呼に限定したり、予め設定された時間毎に行うようにしたりすれば、監視処理を削減することができ、処理負荷を軽減することができる。
【００５９】
また、通信品質の監視をＲＴＣＰパケットのパケット廃棄率で監視したり、ＩＰパケットヘッダのサービス種別に基づいてパケットに優先度を付けたりすることは好ましい。
【図面の簡単な説明】
【図１】本発明の一実施形態のパケット転送システムを示す図であり、その要部の構成図である。
【図２】パケット転送の優先順位のレベルの例を示す図である。
【図３】パケット転送におけるパケット廃棄率監視処理を説明するための図である。
【図４】パケット転送におけるパケット廃棄率監視処理の手順を示すフローチャートである。
【図５】パケット転送におけるパケット廃棄率異常時の処理手順を示すフローチャートである。
【符号の説明】
１０ａ〜１０ｄ    パケット転送装置
１０１ａ，１０１ｄ    優先度別転送部
１０２ａ，１０２ｄ    通信品質監視部
１０３ａ，１０３ｄ    品質通知部
１０４ａ，１０４ｄ    通信遮断機能部
２０    呼制御装置
２０１    呼制御機能部
２０２    各種情報記憶部
２０３    呼選択機能部
２０４    品質監視指示部
２０５    品質通知受信部
２０６    切断（遮断）指示部
３０ａ，３０ｂ    端末装置
【図１】
2005012572.tif 000003
【図２】
2005012572.tif 000004
【図３】
2005012572.tif 000005
【図４】
2005012572.tif 000006
【図５】
2005012572.tif 000007